(57)【特許請求の範囲】
【請求項１】
便口に対する左右の側部内側に第１の嵌合部を有する便座と、その上端部に前記第１の嵌合部に離脱可能に嵌合される第２の嵌合部を有する二つの脚体とを備える可搬便器において、前記二つの脚体は、上端部における前記第２の嵌合部の前側及び後側に非嵌合端部を有し、且つ下端部外側の前後方向中間に、前記便口の下側に配置されるべき袋の開口縁側部分を掛止することが可能な掛止片を有することを特徴とする可搬便器。
【請求項２】
その両端部が前記二つの脚体に離脱可能に取付けられ、各脚体を連結する連結体を備え、該連結体を、前記二つの脚体における下端部内側の前後方向中間に配してある請求項１記載の可搬便器。
【発明の詳細な説明】
【０００１】
【発明の属する技術分野】
本発明は、室内等に置いて主として幼児が使用する可搬便器に関する。
【０００２】
【従来の技術】
可搬便器は、便口を有する便座の外側周縁に脚部が一体で繋がるとともに、便座の前部に金隠しが一体で繋がり、さらに、前記便口の下側に配置される便受皿が前記脚部と一体で繋がるように合成樹脂材料で成形された構成となっているか、又は、便口を有する便座の外側周縁に脚部が一体で繋がるとともに、便座の前部に金隠しが一体で繋がるように合成樹脂材料で成形され、さらに、前記便口の下側位置に対して出し入れが可能な便受皿が別個に成形された構成となっている。
【０００３】
【発明が解決しようとする課題】
ところが、従来のものは可搬便器の全体が一体に成形された構成となっているか、又は、便座及び脚部が一体に成形された構成となっているため、工場から出荷する際の嵩及び家庭等で格納する際の嵩が比較的高くなるという問題があり、さらに、特別の便受皿が必要であるため、この便受皿がコスト高の要因となっており、改善策が要望されていた。
【０００４】
本発明は斯かる事情に鑑みてなされたものであり、便口を有する便座と、該便座の前記便口に対する左右の側部にその上端部が離脱可能に取付けられた脚体とを備える構成とすることにより、荷造り、格納時の嵩を低くすることができるとともに、便受皿としてビニール袋を使用することができる可搬便器を提供することを目的とする。
【０００５】
また、脚体同志を連結する連結体を備える構成とすることにより、便座のぐらつきを確実に防止することができる可搬便器を提供することを目的とする。また、上下方向への揺動が可能な金隠しを有する構成とすることにより、金隠しの機能を得ることができるとともに、未使用時には金隠しの嵩を低くすることができる可搬便器を提供することを目的とする。
【０００６】
さらに、脚体の外側に掛止片が突設された構成とすることにより、便受皿として使用された袋の開口縁側部分が便座と脚体との間から抜け出ることを確実に防止することができる可搬便器を提供することを目的とする。また、夫々が嵌合部を有する便座及び脚部と、該脚部に嵌合する嵌合部を有し、脚部同志を連結する連結体とを備える構成とすることにより、嵌合部の嵌め込み操作によって組立て及び分解を行うことができる可搬便器を提供することを目的とする。
【０００７】
【課題を解決するための手段】
第１発明に係る可搬便器は、便口に対する左右の側部内側に第１の嵌合部を有する便座と、その上端部に前記第１の嵌合部に離脱可能に嵌合される第２の嵌合部を有する二つの脚体とを備える可搬便器において、前記二つの脚体は、上端部における前記第２の嵌合部の前側及び後側に非嵌合端部を有し、且つ下端部外側の前後方向中間に、前記便口の下側に配置されるべき袋の開口縁側部分を掛止することが可能な掛止片を有することを特徴とする。
【０００８】
第１発明にあっては、第２の嵌合部を第１の嵌合部に挿入して嵌合することにより便座と脚体とを連結することができ、また、第２の嵌合部を第１の嵌合部から抜き出すことにより嵩を低くした状態で荷造りしたり、格納したりすることができる。しかも、使用する場合は、便口の下側位置にビニール袋等の提手付の袋を配置し、該袋の開口縁側部分を前記便座と脚体の非嵌合端部との間で挟んだとき、前記開口縁側部分に設けられた提手を、脚体の下端部外側の前後方向中間に設けられている掛止片に掛止することができ、袋の開口縁側部分が便座と脚体の非嵌合端部との間から抜け出ることを防止することができる。
【０００９】
第２発明に係る可搬便器は、その両端部が前記二つの脚体に離脱可能に取付けられ、各脚体を連結する連結体を備え、該連結体を、前記二つの脚体における下端部内側の前後方向中間に配してあることを特徴とする。
【００１０】
第２発明にあっては、上端部が便座に取付けられた脚体同志を連結体が連結するため、便座のぐらつきを確実に防止することができる。
【００１７】
【発明の実施の形態】
以下本発明をその実施の形態を示す図面に基づいて詳述する。
実施の形態１
図１は可搬便器の斜視図、図２は可搬便器の分解斜視図、図３は図２のIII −III 線の拡大断面図、図４は図２のIV−IV線の拡大断面図、図５は脚体の側面図、図６は脚体の平面図、図７は脚体の底面図、図８は図１のVIII−VIII線の拡大断面図、図９は金隠しを取り付けた便座の拡大断面図である。
【００１８】
本発明に係る可搬便器は、長円形の便口１０を有する長円形で環状の便座１と、該便座１の前記便口１０に対する左右の側部内側に嵌合により離脱可能に取付けられた一対の脚体２，２と、該脚体２，２の下端部を離脱可能に連結した細幅板状の連結体３と、前記便座１の前部に離脱可能に取付けられた金隠し４とを備え、組立てが可能に構成されている。また、便座１、脚体２，２、連結体３及び金隠し４は合成樹脂製であり、夫々が別個に成形されている。
【００１９】
便座１は、環状の座部１１の内側周縁に繋がる内側周壁１２及び座部１１の外側周縁に繋がる外側周壁１３を有する断面略逆皿形に形成されており、左右の側部の内側には前記脚体２，２の上端部が嵌合される第１の嵌合部１４が設けてあり、また、前部にはその表面が凹む第１の凹所１５と、便口１０が凹む第２の凹所１６とが設けてある。さらに、便座１の内側には複数の補強用のリブが一体に設けてある。
【００２０】
第１の嵌合部１４は、前記側部の座部１１内側に突設された角枠形の凸片１４ａ及び該凸片１４ａの内側に突設された複数の凸起１４ｂとを有している。
【００２１】
第１の凹所１５の一対の側面には前記金隠し４を枢支するための枢支孔１７が設けてあり、また、第２の凹所の一対の側面には前記金隠し４が上方位置へ揺動したとき、該金隠し４の側面に突設された凸部と係合して金隠し４を上方位置で停止させるための係合凸部１８が設けてある。
【００２２】
脚体２，２は、前記便座１の側部の平面形状に近似する矩形状の側壁２１と、該側壁２１の上縁に繋がる上壁２２と、側壁２１の下縁に繋がる下壁２３と、該下壁２３の長手方向両端部に取付けられたゴム製の滑止体２４，２４とを有する。また、脚体２，２の内側には複数の補強用のリブが一体に設けてある。
【００２３】
上壁２２の中央部には第３の凹所２５と、該第３の凹所２５内に突設され、前記第１の嵌合部１４に離脱可能に嵌合される第２の嵌合部２６が設けてあり、また、図１、図２、図５及び図６に示されているように、上壁２２における第２の嵌合部２６の前側及び後側は前記第１の嵌合部１４に嵌合されない非嵌合の端部になっている。側壁２１の下端部には側面視で略半円形に内側へ凹む第４の凹所２７と、該凹所２７内に突設され、前記便口１０の下側に配置されるべきビニール袋等の提手付の袋の開口縁側部分を掛止することが可能な掛止片２８と、前記凹所２７内の一部に内側へ露呈するように設けられた第３の嵌合部２９とを有する。
【００２４】
この第３の嵌合部２９は、前記凹所２７の底面の一部に貫通された矩形状の貫通孔２９ａの下側縁部によって板状に形成されている。また、掛止片２８は前記凹所２７の底面に対して外側へ離間しており、前記袋の提手を容易に掛止することができるようにしてある。
【００２５】
第２の嵌合部２６は、前記第１の嵌合部１４に嵌め込んだとき角枠形の前記凸片１４ａ及び凸起１４ｂに接触することが可能な接触部を有する矩形状の凸起によって形成されている。また、上壁２２は、第２の嵌合部２６が第１の嵌合部１４に嵌合されたとき、前記座部１１の内側に当接し、さらに、第３の凹所２５は、第２の嵌合部２６が第１の嵌合部１４に嵌合されたとき、前記凸片１４ａの下縁に当接して便座１に加わる荷重を受止めるようにしてある。
【００２６】
連結体３はその長手方向両端に前記第３の嵌合部２９に嵌合が可能な第４の嵌合部３０を有する細幅板状に形成してある。第４の嵌合部３０は、凹溝状に形成されている。また、連結体３の下面にはその長手方向に沿って複数の補強用のリブが一体に設けてある。
【００２７】
金隠し４は、前記第１及び第２の凹所１５，１６の側面と向き合う一対の側壁４１，４１と、該側壁４１，４１の上縁に繋がる上壁４２と、側壁４１，４１及び上壁４２の内側に突設され、前記第２の凹所１６の底面と向き合う前壁４３とを備えている。側壁４１，４１には前記枢支孔１７，１７に嵌合される枢軸４４，４４と、該枢軸４４，４４を中心とする揺動によって前記係合凸部１８，１８と係合し金隠し４を上方位置で停止させる凸部４０，４０とが設けてある。
【００２８】
以上の如く構成された可搬便器は、図２に示す如く便座１、脚体２，２、連結体３及び金隠し４を夫々離脱させることができるため、比較的コンパクトに荷造り及び格納することができる。尚、金隠し４は上下方向へ揺動可能としてあるため、該金隠し４を取外すことなく下側位置へ揺動させることにより、嵩を低くすることができる。
【００２９】
図１０は可搬便器の使用状態を示す斜視図である。
可搬便器を組立てる場合は、例えば一対の脚体２，２の第３の嵌合部２９，２９に連結体３の第４の嵌合部３０，３０を嵌め込み、脚体２，２同志を連結した状態で脚体２，２の間にビニール袋等の提手付の袋Ａを挿入し、該袋Ａの開口縁側部分を脚体２，２の上壁２２，２２に沿って、換言すると上壁２２，２２における第２の嵌合部２６の前側及び後側に設けられている非嵌合の端部に沿って外側へ折り返すとともに、この折り返し端部の提手ａを脚体２，２の掛止片２８，２８に掛止する。そして、脚体２，２の上壁２２，２２に便座１を載せ、該便座１の第１の嵌合部１４，１４を脚体２，２の第２の嵌合部２６，２６に嵌め込むことにより、便座１と脚体２，２とを連結することができ、さらに、金隠し４の枢軸４４，４４を便座１の枢支孔１７，１７に挿入することにより、金隠し４を揺動可能に取付けることができる。
【００３０】
このように組立てた可搬便器は、金隠し４を上方へ揺動させることにより、凸部４０，４０が係合凸部１８，１８と係合し、金隠し４を上方位置で停止させることができ、金隠しの機能が得られる。
【００３１】
用便を足した後は、便座１を脚体２，２に対して上方へ引張ることにより、第１及び第２の嵌合部１４，２６を離脱することができるため、便座１に邪魔されることなく袋Ａの掛止片２８，２８での掛止を容易に離脱でき、脚体２，２の間から袋Ａを容易に取出すことができる。また、この袋Ａの取出し後、脚体２，２の上壁２２，２２に便座１を載せ、第１の嵌合部１４，１４を第２の嵌合部２６，２６に嵌め込むことにより、再び組立てることができる。
【００３２】
実施の形態２
図１１は可搬便器の実施の形態２の構成を示す斜視図である。
この実施の形態２の可搬便器は、実施の形態１の如く構成された便座１の座部１１に便座カバー５，５が離脱可能に装着されている。
【００３３】
この便座カバー５，５は、前記座部１１の幅寸法よりも広幅で略Ｊ字形に裁断された不織布のシートを用いてなり、その裏面には接着性を有する滑り止め層又は剥離可能な接着層が設けられている。尚、便座カバー５，５は一体とし、全体を略Ｕ字形としてもよい。
【００３４】
その他の構成及び作用は実施の形態１と同様であるため、同様の部品については同じ符号を付し、その詳細な説明及び作用の説明を省略する。
【００３５】
【発明の効果】
第１発明によれば、便座と脚体とが別個に形成されており、第２の嵌合部を第１の嵌合部に挿入して嵌合することにより脚体の上端部が便座に離脱可能に取付けられているため、荷造り、格納時の嵩を低くすることができるとともに、便受皿としてビニール袋を使用することができる。しかも、便口の下側位置にビニール袋等の提手付の袋を配置し、該袋の開口縁側部分を前記便座と脚体の非嵌合端部との間で挟んだとき、前記開口縁側部分に設けられた提手を掛止片に掛止することができるため、袋の開口縁側部分が便座と脚体との間から抜け出ることを防止することができる。
【００３６】
第２発明によれば、上端部が便座に取付けられた脚体同志を連結体が連結するため、便座のぐらつきを確実に防止することができる。
【図面の簡単な説明】
【図１】本発明に係る可搬便器の斜視図である。
【図２】本発明に係る可搬便器の分解斜視図である。
【図３】図２のIII −III 線の拡大断面図である。
【図４】図２のIV−IV線の拡大断面図である。
【図５】本発明に係る可搬便器の脚体の側面図である。
【図６】本発明に係る可搬便器の脚体の平面図である。
【図７】本発明に係る可搬便器の脚体の底面図である。
【図８】図１のVIII−VIII線の拡大断面図である。
【図９】金隠しを取り付けた便座の拡大断面図である。
【図１０】本発明に係る可搬便器の使用状態を示す斜視図である。
【図１１】本発明に係る可搬便器の実施の形態２の構成を示す斜視図である。
【符号の説明】
１    便座
１０  便口
１４  第１の嵌合部
２    脚体
２６  第２の嵌合部
２９  第３の嵌合部
２８  掛止片
３    連結体
３０  第４の嵌合部
４    金隠し
【図１】
0004511017.tif 000002
【図２】
0004511017.tif 000003
【図３】
0004511017.tif 000004
【図４】
0004511017.tif 000005
【図５】
0004511017.tif 000006
【図６】
0004511017.tif 000007
【図７】
0004511017.tif 000008
【図８】
0004511017.tif 000009
【図９】
0004511017.tif 000010
【図１０】
0004511017.tif 000011
【図１１】
0004511017.tif 000012